(57)【要約】      （修正有）【課題】少ないデータ量で多くの情報を伝送することができ、部分階層受信のデータと固定階層受信のデータとを別々に作成する必要がない技術を提供する。【解決手段】デジタル放送における部分階層と固定階層との間で、データ放送で用いられる文字コードと表示文字が共通である文字と、情報とを対応付けた置換テーブルと、該テーブルにより、情報を文字に置換し、該文字コードを、データ放送のイベントメッセージに格納して放送する第１のデータ放送手段と、置換テーブルを有し、イベントメッセージに格納されている文字コードの文字を、対応する情報に置換する表示制御プログラムを放送する第２のデータ放送手段と、データ放送の表示制御プログラムにより動作し、置換テーブルに基づいて、受信したイベントメッセージに格納されている文字コードの文字を対応する情報に置換し、その情報を表示する表示制御手段とを有する。【選択図】図１
2010219815.tif 000002
【特許請求の範囲】
【請求項１】
デジタル放送における部分階層と固定階層との間で、データ放送で用いられる文字コードが共通し、かつ、前記文字コードで表示される文字も共通である文字と、情報とが対応付けられた置換テーブルと、
前記置換テーブルに基づいて、伝送したい情報を対応する文字に置換し、置換した文字の文字コードを、データ放送のイベントメッセージに格納する置換手段と、
前記文字コードが格納されたイベントメッセージを放送する第１のデータ放送手段と、
前記置換テーブルを有し、前記イベントメッセージに格納されている文字コードの文字を対応する情報に置換する表示制御プログラムを放送する第２のデータ放送手段と、
前記データ放送の表示制御プログラムにより動作し、前記置換テーブルに基づいて、受信したイベントメッセージに格納されている文字コードの文字を対応する情報に置換し、その情報を表示する表示制御手段と
を有することを特徴とするデータ放送システム。
【請求項２】
前記置換手段は、受信側の処理対象と、この処理対象の情報から置換された文字の文字コードをイベントメッセージ上に配置する配置位置とを定めたルールに従って、その処理対象に対応する情報から置換された文字の文字コードを、イベントメッセージに配置し、
前記表示制御手段は、予め登録された処理対象の配置場所に配置されている文字コードの文字を対応する情報に置換し、その情報を表示する
ことを特徴とする請求項１に記載のデータ放送システム。
【請求項３】
デジタル放送における部分階層と固定階層との間で、データ放送で用いられる文字コードが共通し、かつ、前記文字コードで表示される文字も共通である文字と、情報とが対応付けられた置換テーブルと、
前記置換テーブルに基づいて、伝送したい情報を、対応する文字に置換し、置換した文字の文字コードを、データ放送のイベントメッセージに格納する置換手段と、
前記文字コードが格納されたイベントメッセージを放送する第１のデータ放送手段と、
前記イベントメッセージに格納された文字コードの文字を対応する情報に置換する表示制御プログラムを放送する第２のデータ放送手段と
を有することを特徴とする放送局。
【請求項４】
前記置換手段は、受信側の処理対象と、この処理対象の情報から置換された文字の文字コードをイベントメッセージ上に配置する配置位置とを定めたルールに従って、その処理対象に対応する情報から置換された文字の文字コードを、イベントメッセージに配置する
ことを特徴とする請求項３に記載の放送局。
【請求項５】
デジタル放送における部分階層受信と固定階層受信との間で、データ放送で用いられる文字コードが共通し、かつ、前記文字コードで表示される文字も共通である文字と、情報とを対応付けた関係情報を放送側と受信側とで共有し、
伝送したい情報を対応する文字に置換し、置換した文字の文字コードを、データ放送のイベントメッセージに格納し、
前記文字コードが格納されたイベントメッセージを放送し、
イベントメッセージを受信し、受信したイベントメッセージに格納されている文字コードを文字に変換し、変換した文字を対応する情報に置換し、その情報を表示する
ことを特徴とする放送方法。
【請求項６】
受信側の処理対象と、この処理対象の情報から置換された文字の文字コードをイベントメッセージ上に配置する配置位置とを定めたルールに従って、その処理対象に対応する情報から置換された文字の文字コードを、イベントメッセージに配置し、
予め登録された処理対象に対応する配置場所に配置されている文字コードを文字に変換し、変換した文字を対応する情報に置換し、その情報を表示する
ことを特徴とする請求項５に記載のデータ放送方法。
【請求項７】
デジタル放送における部分階層受信と固定階層受信との間で、データ放送で用いられる文字コードが共通し、かつ、前記文字コードで表示される文字も共通である文字と、情報とが対応付けられた置換テーブルを有し、
前記置換テーブルに基づいて、受信したイベントメッセージに格納されている文字コードの文字を対応する情報に置換し、その情報を表示する表示制御処理と
を情報処理装置に実行させるプログラム。
【請求項８】
前記変換処理は、予め登録された処理対象に対応する配置場所に配置されている文字コードを文字に変換することを特徴とする請求項７に記載のデータ放送方法。
【発明の詳細な説明】
【技術分野】
【０００１】
本発明は、データ放送システム、その方法、放送局及びプログラムに関する。
【背景技術】
【０００２】
地上デジタル放送は、伝送路符号化方式として割り当てられた伝送帯域幅を１３個のセグメントに分割したＯＦＤＭ(Orthogonal Frequency Division Multiplexing)方式を採用し、１３個のセグメントを最大３つの階層に分割し、それぞれの階層毎に、キャリア変調(DQPSK、QPSK、16QAM、64QAM)、内符号の符号化率等の必要な伝送特性に応じたパラメータを指定している。
【０００３】
現在の地上デジタル放送では、上述の１３個のセグメントを二つの階層に分け、中央の１セグメントのみを用いる部分階層受信（いわゆる、１セグ受信）と、その他のセグメントを用いる固定階層受信（いわゆる、１２セグ受信）との二つの放送サービスを提供している。
【０００４】
また、テレビ放送では、例えば、気象情報や、地震情報、津波情報等の緊急情報がテロップ等で表示されており、これらの情報をデータ放送のイベントメッセージに載せてテレビ画面に表示させることが提案されている（例えば、特許文献１）。
【先行技術文献】
【特許文献】
【０００５】
【特許文献１】国際公開番号  ＷＯ  ００／７４２７９
【発明の概要】
【発明が解決しようとする課題】
【０００６】
しかしながら、データ放送のイベントメッセージを使って、情報を送る際、部分階層受信と固定階層受信とで異なったコーディングを行う必要があり、受信して処理・表示を行うプログラム（ＢＭＬ）の処理内容もそれぞれ異なるものを作る必要があった。何故なら、部分階層受信はシフトＪＩＳのコードを用いており、固定階層受信はＥＵＣ−ＪＰのコードを用いているからである。
【０００７】
また、上述のように、部分階層受信と固定階層受信とで異なった内容のイベントメッセージを作成する必要があるので、送出、受信の確認を行う際、それぞれデータの内容のログのチェックを行わなければならなかった。
【０００８】
そこで、本発明は、上記課題に鑑みて発明されたものであって、その目的は、少ないデータ量で、部分階層受信のデータと固定階層受信のデータとを別々に作成する必要がないデータ放送システム、その方法、放送局及びプログラムを提供することにある。
【課題を解決するための手段】
【０００９】
上記課題を解決する本発明は、デジタル放送における部分階層と固定階層との間で、データ放送で用いられる文字コードが共通し、かつ、前記文字コードで表示される文字も共通である文字と、情報とが対応付けられた置換テーブルと、前記置換テーブルに基づいて、伝送したい情報を対応する文字に置換し、置換した文字の文字コードを、データ放送のイベントメッセージに格納する置換手段と、前記文字コードが格納されたイベントメッセージを放送する第１のデータ放送手段と、前記置換テーブルを有し、前記イベントメッセージに格納されている文字コードの文字を対応する情報に置換する表示制御プログラムを放送する第２のデータ放送手段と、前記データ放送の表示制御プログラムにより動作し、前記置換テーブルに基づいて、受信したイベントメッセージに格納されている文字コードの文字を対応する情報に置換し、その情報を表示する表示制御手段とを有することを特徴とするデータ放送システムである。
【００１０】
また、上記課題を解決する本発明は、デジタル放送における部分階層と固定階層との間で、データ放送で用いられる文字コードが共通し、かつ、前記文字コードで表示される文字も共通である文字と、情報とが対応付けられた置換テーブルと、前記置換テーブルに基づいて、伝送したい情報を、対応する文字に置換し、置換した文字の文字コードを、データ放送のイベントメッセージに格納する置換手段と、前記文字コードが格納されたイベントメッセージを放送する第１のデータ放送手段と、前記イベントメッセージに格納された文字コードの文字を、対応する情報に置換する表示制御プログラムを放送する第２のデータ放送手段とを有することを特徴とする放送局である。
【００１１】
また、上記課題を解決する本発明は、デジタル放送における部分階層受信と固定階層受信との間で、データ放送で用いられる文字コードが共通し、かつ、前記文字コードで表示される文字も共通である文字と、情報とを対応付けた関係情報を放送側と受信側とで共有し、伝送したい情報を対応する文字に置換し、置換した文字の文字コードを、データ放送のイベントメッセージに格納し、前記文字コードが格納されたイベントメッセージを放送し、イベントメッセージを受信し、受信したイベントメッセージに格納されている文字コードを文字に変換し、変換した文字を対応する情報に置換し、その情報を表示することを特徴とする放送方法である。
【００１２】
また、上記課題を解決する本発明は、デジタル放送における部分階層受信と固定階層受信との間で、データ放送で用いられる文字コードが共通し、かつ、前記文字コードで表示される文字も共通である文字と、情報とが対応付けられた置換テーブルを有し、前記置換テーブルに基づいて、受信したイベントメッセージに格納されている文字コードの文字を対応する情報に置換し、その情報を表示する表示制御処理とを情報処理装置に実行させるプログラムである。
【発明の効果】
【００１３】
本発明によれば、少ないデータ量で多くの情報を伝送することができ、部分階層受信のデータと固定階層受信のデータとを別々に作成する必要がない。
【図面の簡単な説明】
【００１４】
【図１】図１は本発明の実施の形態のブロック図である。
【図２】図２は置換テーブル１１の一例を示した図である。
【図３】図３はＢＭＬのスクリプトの一例を示した図である。
【図４】図４はＢＭＬのスクリプトの一例を示した図である。
【図５】図５はＢＭＬのスクリプトの一例を示した図である。
【図６】図６は他の実施の形態を説明するための図である。
【図７】図７は他の実施の形態のＢＭＬのスクリプトの一例を示した図である。
【図８】図８は他の実施の形態のＢＭＬのスクリプトの一例を示した図である。
【図９】図９は他の実施の形態のＢＭＬのスクリプトの一例を示した図である。
【発明を実施するための形態】
【００１５】
本発明の概要を説明する。
【００１６】
本発明は、所定の情報と文字とを対応付け、情報の代わりにその情報に対応付けられた文字をイベントメッセージに格納して送信する。尚、情報とは、例えば、緊急地震情報（緊急地震速報）や緊急津波情報等の緊急情報等があるが、これらに限られず、視聴者に伝えたい情報、例えば、気象情報や地域情報等でも良い。
【００１７】
ここでは、情報が各地域の震度情報である場合、各震度の値や到達予想時間等と文字とを対応付ける。具体的には、“０”が震度情報なし、“１”が震度情報“震度３以下”、“２”が震度情報“震度４”というように、震度情報と文字とを対応付ける。このとき、使用する文字を、部分階層受信（以下、１セグ受信と記載する）と固定階層受信（以下、１２セグ受信と記載する）との間で、文字コードが共通し、かつ、その文字コードで表示される文字も共通である文字を使用する。
【００１８】
データ放送のイベントメッセージでは、バイナリーデータは基本的には扱えず、文字のみしか扱うことはできない。仮に、情報をバイナリーデータに変換し、このバイナリーデータをイベントメッセージで送ると、受信側で、そのバイナリーデータに対応する文字に変換されるが、この場合機種ごとに違った文字に変換されてしまう。よって、この変換された文字から文字コードに再変換してバイナリーデータを取得すると正しく情報を伝達することができない。従って、イベントメッセージにより情報を伝達する場合には、バイナリーデータではなく文字によらなければならない。
【００１９】
しかしながら、文字による情報の伝送では、伝送できる情報量が限られてしまい、例えば、気象情報や地震情報等、多地点の情報は送れない。
【００２０】
更に、１セグと１２セグとでは異なる文字コードを使用しており、１セグ受信はシフトＪＩＳコードを用いており、１２セグ受信はＥＵＣ−ＪＰコードを用いている。従って、１セグ用のイベントメッセージのデータと、１２セグ用のイベントメッセージのデータとを、別々に作成する必要があった。
【００２１】
しかしながら、１セグ用のイベントメッセージのデータと１２セグ用のイベントメッセージのデータとを別々に作成することは手間がかかる。更に、監視の為のログのチェックにおいても、１セグ用ログでは１セグ用のイベントメッセージのデータを用い、１２セグ用ログでは１２セグ用のイベントメッセージのデータを用いてチェックをしなければならない。
【００２２】
そこで、１セグ受信と１２セグ受信との間で、文字コードが共通し、かつ、その文字コードで表示される文字も共通である文字を使用し、この文字に伝送したい情報を対応付けるようにする。
【００２３】
このようにすれば、少ないデータ量で多くの情報を伝送でき、かつ、１セグ受信と１２セグ受信とで、イベントメッセージのデータを別々に作成する必要も無く、更に、ログなどのチェックの手間も軽減できる。
【００２４】
以下、具体的な実施の形態を説明する。
【００２５】
図１は本発明の実施の形態のブロック図である。
【００２６】
本実施の形態における放送システムは、放送局１とテレビ受信機２とを備える。
【００２７】
放送局１は、置換テーブル１１と、置換部１２と、イベントメッセージ生成部１３と、ＢＭＬ記憶部１４と、データ放送部１５とを備える。
【００２８】
置換テーブル１１は、１セグ受信で用いられるシフトＪＩＳコードと、１２セグ受信で用いられるＥＵＣ−ＪＰコードとの間で、文字コードが共通し、かつ、その文字コードで表示される文字も共通である文字と、地震情報(震度情報と到達時間とを含む)とが対応付けられて格納されたテーブルである。置換テーブル１１の一例を図２に示す。図２に示される置換テーブル１１では、シフトＪＩＳコードと、１２セグ受信で用いられるＥＵＣ−ＪＰコードとの間で、文字コードが共通し、かつ、その文字コードで表示される文字も共通である文字のうち、文字“０”、文字“１”、文字“２”、文字“３”、文字“４”、文字“５”、文字“６”、文字“７”、文字“Ａ”、文字“Ｂ”、文字“Ｃ”、文字“Ｄ”、文字“Ｅ”、文字“Ｆ”、及び文字“Ｇ”を使用している。そして、文字“０”と地震情報“なし”とが対応付けられ、文字“１”と地震情報“３以下少しして”とが対応付けられ、文字“Ａ”と地震情報“３以下すぐに”とが対応付けられ、文字“２”と地震情報“４少しして”とが対応付けられ、文字“Ｂ”と地震情報“４すぐに”とが対応付けられ、文字“３”と地震情報“５弱少しして”とが対応付けられ、文字“Ｃ”と地震情報“５弱すぐに”とが対応付けられ、文字“４”と地震情報“５強少しして”とが対応付けられ、文字“Ｄ”と地震情報“５強すぐに”とが対応付けられ、文字“５”と地震情報“６弱少しして”とが対応付けられ、文字“Ｅ”と地震情報“６弱すぐに”とが対応付けられ、文字“６”と地震情報“６強少しして”とが対応付けられ、文字“Ｆ”と地震情報“６強すぐに”とが対応付けられ、文字“７”と地震情報“７少しして”とが対応付けられ、文字“Ｇ”と地震情報“７すぐに”とが対応付けられている。
【００２９】
置換部１２は、情報元から地震情報を受け、その地震情報を、置換テーブル１１に基づいて、対応する文字に置換する。例えば、情報元より、地震情報“７すぐに”の情報を受け取ると、これを文字“Ｇ”に置換する。
【００３０】
イベントメッセージ（ＥＭ）生成部１３は、置換部１２から送信される文字の文字コードをイベントメッセージのプライベート領域に配置してイベントメッセージを生成する。文字コードを配置する際、イベントメッセージ（ＥＭ）生成部１３は、予め定められた地域の順番に従って、文字コードを配置する。例えば、千代田区、港区、新宿区の順序で地震情報を配置すると予め定めていた場合、この順序に従って、千代田区の地震情報に対応する文字コード、港区の地震情報に対応する文字コード、新宿区の地震情報に対応する文字コードを配置する。
【００３１】
ＢＭＬ記憶部１４は、テレビ受信機２に視聴者があらかじめ登録した地域をメモリから読み出し、イベントメッセージのプライベートデータ領域から該当する部分（先頭からの順番）の文字（文字コードから文字の変換は受信機固有の動作で行われる）を抜き出し、その文字を地震情報に変換して、画面に表示するＢＭＬのスクリプトが格納されている。ＢＭＬのスクリプトの一例を図３から図５に示す。図３から図５に示すＢＭＬのスクリプトでは、上述した置換テーブル１１に相当するテーブルを有している。尚、全てのデータ放送により送出されるコンテンツに、図３に示されるようなＢＭＬを加えることで実現することはできるが、各関数を、外部ＥＣＭＡとして、各ＢＭＬ内でｉｎｃｌｕｄｅして関数を取り込み、さらに、ここにあるｂｅｉｔｅｍと初期動作の関数（例えば、不揮発メモリからの読み込みなど）を放送中のすべてのＢＭＬに記述する方法でも良い。
【００３２】
尚、図３から図５に示すＢＭＬのスクリプトは１２セグのものである。しかし、登録地域を不揮発メモリから読む代わりに、ＧＰＳ等の方法により現在位置を取得すれば、同様な手法により、１セグでも可能である。
【００３３】
データ放送部１５は、イベントメッセージ（ＥＭ）生成部１３で生成されたイベントメッセージと、ＢＭＬ記憶部１４に格納されているＢＭＬのスクリプトとをデータ放送で送出する。尚、イベントメッセージは、１セグと１２セグとを別々に送出するようにしても良いが、ひとつのイベントメッセージで代用するようにしても良い。
【００３４】
テレビ受信機２は、データ放送受信部２１と、表示制御部２２と、表示部２３とを備える。
【００３５】
データ放送受信部２１は、データ放送により、イベントメッセージや、ＢＭＬのスクリプトを受信する。
【００３６】
表示制御部２２は、受信したＢＭＬのスクリプトにより動作し、文字を地震情報に置換する置換部２２１と、ＢＭＬに記載されている置換テーブルである置換テーブル２２２とを備える。また、ＢＭＬのスクリプトによる動作とは別に、イベントメッセージのプライベート領域に格納されている文字コードを、その文字コードの文字に変換する。
【００３７】
表示部２３は、地震情報が表示されるディスプレイ等である。
【００３８】
次に、上述の構成における動作を説明する。
【００３９】
尚、以下の動作の説明において、放送局１は図２に示される置換テーブル１１を有し、放送局からは図３から図５に示されるＢＭＬが送信され、テレビ受信機２の不揮発性メモリに登録されている地域が５（Ａ県Ｘ市であり、イベントメッセージに格納されている順番が先頭から５番目）であるとする。
【００４０】
まず、放送局１は、ＢＭＬ記憶部１４からＢＭＬを読み出し、データ放送を行う。
【００４１】
テレビ受信機２のデータ放送受信部２１は、ＢＭＬを受信する。そして、表示制御部２２は、このＢＭＬに基づいて動作を開始する。
【００４２】
ここで、外部の情報機関より地震情報が放送局１の置換部１２に入力されると、置換部１２は、置換テーブル１１に基づいて地震情報を対応する文字に置換する。ここで、入力された地震情報が、「Ｃ県Ｘ市の地震情報“５強すぐに”」、「Ｃ県Ｙ市の地震情報“５弱すぐに”」、「Ｃ県Ｚ市の地震情報“５弱すぐに”」、「Ｄ県Ｘ市の地震情報“４すぐに”」、「Ａ県Ｘ市の地震情報“５弱少しして”」、「Ａ県Ｙ市の地震情報“５弱少しして”」、…、であるとする。すると、置換部１２は、「Ｃ県Ｘ市の地震情報“５強すぐに”」は文字“Ｄ”に置換し、「Ｃ県Ｙ市の地震情報“５弱すぐに”」は文字“Ｃ”に置換し、「Ｃ県Ｚ市の地震情報“５弱すぐに”」は文字“Ｃ”に置換し、「Ｄ県Ｘ市の地震情報“４すぐに”」は文字“Ｂ”に置換し、「Ａ県Ｘ市の地震情報“５弱少しして”」は文字“３”に置換し、「Ａ県Ｙ市の地震情報“５弱少しして”」は文字“３”に置換する。そして、置換した文字は、情報順にイベントメッセージ（ＥＭ）生成部１３に送出される。
【００４３】
イベントメッセージ（ＥＭ）生成部１３は、予め定めた地域の順番に置換された文字をイベントメッセージのプライベート領域に格納していく。ここで、予め定められた地域の順番が、「Ｃ県Ｘ市」、「Ｃ県Ｙ市」、「Ｃ県Ｚ市」、「Ｄ県Ｘ市」、「Ａ県Ｘ市」、「Ａ県Ｙ市」、…、であるとする。すると、イベントメッセージ（ＥＭ）生成部１３は、「Ｃ県Ｘ市の地震情報“５強すぐに”」に対応する文字“Ｄ”、「Ｃ県Ｙ市の地震情報“５弱すぐに”」に対応する文字“Ｃ”、「Ｃ県Ｚ市の地震情報“５弱すぐに”」に対応する文字“Ｃ”、「Ｄ県Ｘ市の地震情報“４すぐに”」に対応する“Ｂ”、「Ａ県Ｘ市の地震情報“５弱少しして”」に対応する文字“３”、「Ａ県Ｙ市の地震情報“５弱少しして”」に対応する文字“３”、…の順番で、イベントメッセージのプライベート領域に文字を格納していく。尚、実際には、文字は文字コードの状態で格納される。最後に、地震情報が格納されたイベントメッセージのｍｅｓｓａｇｅ＿ｉｄである“２２”を付与して、データ放送部１５に送出する。
【００４４】
データ放送部１５では、イベントメッセージ（ＥＭ）生成部１３からのイベントメッセージを放送する。
【００４５】
テレビ受信機２では、データ放送受信部２１がイベントメッセージを受信すると、表示制御部２２に送出する。
【００４６】
表示制御部２２は、受信したイベントメッセージのうちｍｅｓｓａｇｅ＿ｉｄが“２２”であるイベントメッセージを受信すると、地震情報の表示制御の処理を行う。まず、表示制御部２２は、上述したＢＭＬのスクリプトによる文字の抽出処理の前に、イベントメッセージのプライベート領域に格納されている文字コードを、その文字コードの文字に変換する処理を行う。そして、ＢＭＬのスクリプトによる処理を行う。ここでは、テレビ受信機２の不揮発性メモリに登録されている地域が５であるので、イベントメッセージのプライベート領域の先頭から５番目に格納されている文字である文字“３”を抽出する。そして、抽出した文字“３”を“５弱少しして”に置換する。最後に、登録されている地域「Ａ県Ｘ市」とともに地震情報を、例えば、「地震警戒、Ａ県Ｘ市、予測震度“５弱少しして”」を表示部２３に表示する。
【００４７】
このように、本実施の形態によれば、少ないデータ量（文字数）で多くの情報を伝送することができ、１セグと１２セグとのイベントメッセージを生成することができ、ログ等のチェック作業も大幅に軽減することができる。
【００４８】
尚、上述した実施の形態では、伝送する地震情報と文字とを一対一で対応付けたが、これに限られず、多対一、又は、多対多に対応付けても良い。例えば、図６に示す如く、使用する文字の文字コードを上位４ビットと下位４ビットとに分け、それぞれに情報を対応付け、二つの情報とひとつの文字とを対応付けても良い。この例では、上位４ビットが到達時間の情報と対応付けられ、下位４ビットが震度情報と対応付けられている。そして、ＢＭＬのスクリプトにより、イベントメッセージから抽出した文字を文字コードに変換し、その文字コードの上位４ビット及び下位４ビットを用いて、表示制御の処理を行う。本例の場合のＢＭＬのスクリプトを図７から図９に示す。
【００４９】
このようにすれば、到達時間と震度情報とを別々に処理することができ、表示までの処理も高速になる。
【００５０】
以上好ましい実施の形態をあげて本発明を説明したが、本発明は必ずしも上記実施の形態に限定されるものではなく、その技術的思想の範囲内において様々に変形し実施することが出来る。
【符号の説明】
【００５１】
１      放送局
２      テレビ受信機
１１    置換テーブル
１２    置換部
１３    イベントメッセージ生成部
１４    ＢＭＬ記憶部
１５    データ放送部
２１    データ放送受信部
２２    表示制御部
２３    表示部
【図１】
2010219815.tif 000003
【図２】
2010219815.tif 000004
【図３】
2010219815.tif 000005
【図４】
2010219815.tif 000006
【図５】
2010219815.tif 000007
【図６】
2010219815.tif 000008
【図７】
2010219815.tif 000009
【図８】
2010219815.tif 000010
【図９】
2010219815.tif 000011